(57)【要約】【課題】  花びらの華やかさに加えて、花茎の形状によっても華やかさを表現すると共に、全体としてコンパクトで、梱包・輸送・栽培に有利で、かつ、輸送時の花茎や花びらの損傷を防止する。【解決手段】  胡蝶蘭の鉢植え１は、鉢３の中に立設した２本の花茎支持用の支柱５，５を、立ち上がり部分５ａで交差すると共に、全体に湾曲し、先端部分５ｂにおいて交差することで正面から見たときにハート形となる様に形成し、これら２本の花茎支持用の支柱５，５に対して、２本仕立てとした胡蝶蘭の花茎７，７を、開花時に大部分の花がほぼ正面を向く様に固定して開花させたものであって、特に、上端に挟み込み部分１１を備えた第３の支柱１０を鉢３に立設して、花茎支持用の支柱５，５の先端部分５ｂを左右から挟み込んで支持したものである。【選択図】  図１
0003112002.tif 000002
【実用新案登録請求の範囲】
【請求項１】
鉢の中に立設した２本の花茎支持用の支柱を、全体に湾曲し、先端部分において交差又は接触させることで正面から見たときにハート形となる様に形成し、これら２本の花茎支持用の支柱に対して、２本仕立てとした胡蝶蘭の花茎を、開花時に大部分の花がほぼ正面を向く様に固定して開花させたことを特徴とする胡蝶蘭の鉢植え。
【請求項２】
前記胡蝶蘭の花を、前記花茎支持用の支柱の交差又は接触させた位置付近まで開花させることにより、胡蝶蘭の花びらがハート形に配列されていることを特徴とする請求項１記載の胡蝶蘭の鉢植え。
【請求項３】
前記２本の花茎支持用の支柱の先端部分を支持する様に、さらに第３の支柱を鉢に立設したことを特徴とする請求項１又は２記載の胡蝶蘭の鉢植え。
【請求項４】
前記第３の支柱として、前記花茎支持用の支柱を左右方向から挟み込むための挟み込み部分を上端に備えたものを用いることを特徴とする請求項３記載の胡蝶蘭の鉢植え。
【請求項５】
前記ハートの下端が、側面から見たときに鉢の内側に位置する様に、前記花茎支持用の支柱の湾曲状態と前記第３の支柱によって支持する高さとを定めたことを特徴とする請求項４記載の胡蝶蘭の鉢植え。
【請求項６】
ハートの下端が、鉢の上面からの高さの１／３〜２／３の位置となる様に、前記花茎支持用の支柱を湾曲させたことを特徴とする請求項１〜５のいずれか記載の胡蝶蘭の鉢植え。
【考案の詳細な説明】
【技術分野】
【０００１】
本考案は、胡蝶蘭の鉢植えに関するものである。
【背景技術】
【０００２】
従来より、胡蝶蘭の鉢植えにおいては、花びらを鑑賞用に最適な角度に仕立てるために、花茎を支持する支柱が用いられている。こうした支柱を用いた花茎の仕立て方は、花茎を湾曲させ、先端が下方に垂れ下がった状態とするのが一般的である（特許文献１）。
【特許文献１】特開平７−２３６６４（図４）
【考案の開示】
【考案が解決しようとする課題】
【０００３】
しかしながら、従来の胡蝶蘭の鉢植えは、１本〜数本の花茎を湾曲させているだけに過ぎない。また、従来の胡蝶蘭の鉢植えは、胡蝶蘭の花茎の先端が鉢から外へ大きく張り出す様に仕立てられている。
【０００４】
そこで、本願は、花びらの華やかさに加えて、花茎の形状によっても華やかさを表現することのできる胡蝶蘭の鉢植えを提供することを第１の目的とする。また、かかる目的を達成する上で、全体として美しく、花茎や花びらが輸送時に損傷したりすることのない様にすることをさらなる第２の目的とする。さらに、上記目的に加えて、輸送の際の梱包サイズを抑制し、効率のよい輸送を実現することをも第３の目的とする。
【課題を解決するための手段】
【０００５】
上記第１の目的を達成するためになされた本考案の胡蝶蘭の鉢植えは、鉢の中に立設した２本の花茎支持用の支柱を、全体に湾曲し、先端部分において交差又は接触させることで正面から見たときにハート形となる様に形成し、これら２本の花茎支持用の支柱に対して、２本仕立てとした胡蝶蘭の花茎を、開花時に大部分の花がほぼ正面を向く様に固定して開花させたことを特徴とする。特に、前記胡蝶蘭の花を、前記花茎支持用の支柱の交差又は接触させた位置付近まで開花させることにより、胡蝶蘭の花びらがハート形に配列されていることを特徴とする。なお、ここでいう接触とは、先端同士が点で接触する状態だけでなく、平行に伸びて線で接触する状態も含まれる。
【０００６】
本考案の胡蝶蘭の鉢植えは、胡蝶蘭の花びらがハート形に並んで開花した状態となり、例えば、ブライダル、クリスマス、バレンタインデー、ホワイトデー、母の日、結婚記念日等の慶事や記念日の贈答用、あるいは各種パーティー会場の装飾用としたとき、従来の「花びらの華やかさ」を感じさせるだけの見え方のものよりも、より華やかな印象を見る者に与えることができる。ここで、特に、ハートの下端が、鉢の上面からの高さの１／３〜２／３の位置となる様に、前記花茎支持用の支柱を湾曲させると、鉢植え全体として見たときのハート形に仕立てられた花のバランスがよい。
【０００７】
また、上記第２の目的を達成するための本考案の胡蝶蘭の鉢植えは、鉢の中に立設した２本の花茎支持用の支柱を、全体に湾曲し、先端部分において交差又は接触させることで正面から見たときにハート形となる様に形成し、これら２本の花茎支持用の支柱に対して、２本仕立てとした胡蝶蘭の花茎を、開花時に大部分の花がほぼ正面を向く様に固定して開花させた胡蝶蘭の鉢植えであって、前記２本の花茎支持用の支柱の先端部分を支持する様に、さらに第３の支柱を鉢に立設したことを特徴とする。ここで、第３の支柱による支持は、下から支える状態だけでなく、上から押さえる様にして支える状態も含む。また、横から挟む状態も含まれると共に、花茎支持用の支柱の先端を取り巻く様にして支える状態も含む。
【０００８】
第３の支柱を備えることで、ハート形に形成された花茎が、輸送時に揺れ動くのを防止することができる。また、第３の支柱によって、ハート形を整えることができるので、バランスのよい状態をキープすることによって、全体として美しく見える状態を保証できる。
【０００９】
ここで、前記第３の支柱として、前記花茎支持用の支柱を左右方向から挟み込むための挟み込み部分を上端に備えたものを用いるとよい。
【００１０】
第３の支柱に挟み込み部分を備えさせることで、花茎支持用の支柱の先端部分同士が交差した状態、又は接触した状態に保つための作業が容易となる。また、花茎支持用の支柱の先端部分同士を、特に緊縛等しなくても、花茎支持用の支柱同士を先端で固定した状態とすることができる。
【００１１】
また、上記第３の目的を達成するための本考案の胡蝶蘭の鉢植えは、鉢の中に立設した２本の花茎支持用の支柱を、全体に湾曲し、先端部分において交差又は接触させることで正面から見たときにハート形となる様に形成し、これら２本の花茎支持用の支柱に対して、２本仕立てとした胡蝶蘭の花茎を、開花時に大部分の花がほぼ正面を向く様に固定して開花させた胡蝶蘭の鉢植えであって、前記２本の花茎支持用の支柱の先端部分を支持する様に、さらに第３の支柱を鉢に立設したことを特徴とすると共に、前記ハートの下端が、側面から見たときに鉢の内側に位置する様に、前記花茎支持用の支柱の湾曲状態と前記第３の支柱によって支持する高さとを定めたことを特徴とする。
【００１２】
この胡蝶蘭の鉢植えによれば、胡蝶蘭の花茎が大きく前方に張り出すことがないので、輸送時の梱包サイズを小さくすることができる。これにより、輸送量を増やすことも可能となり、梱包費用の低減に加えて輸送費用の低減も図ることができる。さらに、ハートの下端が前方に張り出さないので、正面から見たときにハートの形状が大きく見え、より美しい胡蝶蘭の鉢植えを提供する効果もある。
【００１３】
なお、この第２，第３の目的を達成するための本考案の胡蝶蘭の鉢植えにおいても、ハートの下端が、鉢の上面からの高さの１／３〜２／３の位置となる様に、前記花茎支持用の支柱を湾曲させると、鉢植え全体として見たときのハート形に仕立てられた花のバランスがよい。
【考案の効果】
【００１４】
本考案によれば、花びらの華やかさに加えて、花茎の形状によっても華やかさを表現することができ、特に、ブライダル、クリスマス、バレンタインデー、ホワイトデー、母の日、結婚記念日等の慶事や記念日の贈答用や、各種パーティー会場の装飾用等としてより一層の付加価値を高めることができる。また、第３の支柱を用いる場合には、上記効果に加えて、鉢植えの美しさを整えた状態とすることができ、しかも花茎や花びらが輸送時に損傷するのを有効に防止することができる。さらに、ハートの下端が側面から見たときに鉢の内側に位置する様に第３の支柱で支持することにより、梱包サイズを小さくし、輸送時の積載量を増やす効果も発揮することができる。また、装飾用として飾る際に、コンパクトさからスペースを執らず、飾りやすいという効果も発揮される。
【考案を実施するための最良の形態】
【００１５】
以下、本考案を具体化した実施の形態を図面を参照しながら詳細に説明する。図１に示す様に、実施の形態の胡蝶蘭の鉢植え１は、鉢３の中に立設した２本の花茎支持用の支柱５，５を、立ち上がり部分５ａで交差すると共に、全体に湾曲し、先端部分５ｂにおいて交差することで正面から見たときにハート形となる様に形成し、これら２本の花茎支持用の支柱５，５に対して、２本仕立てとした胡蝶蘭の花茎７，７を、開花時に大部分の花がほぼ正面を向く様に固定して開花させたものである。
【００１６】
そして、図２に示す様に、前述の２本の花茎支持用の支柱５，５の先端部分５ｂを支える様に、さらに第３の支柱１０を鉢３に立設した。この第３の支柱１０は、図２に示す様に、花茎支持用の支柱５，５を左右方向から挟み込むための挟み込み部分１１を上端に備えている。この上端の下支え式の挟み込み部分１１は、図１に示す様に、第３の支柱１０を構成する鉄線の上端を下方に向かって折り曲げると共に、さらにその先を上方に向かって折り曲げることによりＵ字状に形成されている。また、図１（Ｂ）に示す様に、第３の支柱１０はその下端を折り曲げることによって、鉢３に立設したときに回転したり容易に抜けたりしない様にしてある。
【００１７】
また、本実施の形態の胡蝶蘭の鉢植え１は、２本の花茎支持用の支柱５，５によって構成されたハートの下端が、図３に示す様に、鉢３の上面からの高さｈの約１／３程度との位置となる様に、花茎支持用の支柱５，５の長さ及び湾曲状態と第３の支柱１０によって支持する高さとを定めてある。また、花茎支持用の支柱５，５の先端が、側面から見たときに鉢３の内側に位置する様に第３の支柱１０で支持している。
【００１８】
この胡蝶蘭の鉢植え１は、花茎７，７の根元側のつぼみが開花し始める頃に、各花茎７，７を、鉢３に立設した花茎支持用の支柱５，５に対して複数箇所で固定することにより、開花時の花びらが正面から見たときに、きれいにハート形に並んだ状態となる様に調整する。
【００１９】
ここで、花茎支持用の支柱７，７及び第３の支柱１０としては、直径３．２ｍｍの鉄製の針金を曲げたものを用いている。
【００２０】
本実施の形態によれば、図３に示す様に、花びらがハート形に並んで開花した状態となり、特に、ブライダル、クリスマス、バレンタインデー、ホワイトデー、母の日、結婚記念日等の慶事や記念日の贈答用や、各種パーティー会場の装飾用等として、単に花びらの豪華さだけでなく、鉢植え全体としてより華やかな印象を見る者に与える。
【００２１】
また、本実施の形態では、第３の支柱１０を備えることで、ハート形に形成された花茎が、輸送時に揺れ動くのを防止することができる。これは、花びらの大きな胡蝶蘭を用いて、しかも、多数の花を各花茎に開花させることで豪華さをより高めた大きなハート形の鉢植えにおいて、輸送時に花茎が揺れ動いて、花茎自体あるいは花びらを損傷させるといったことを有効に防止できる。
【００２２】
さらに、本実施の形態では、第３の支柱１０として挟み込み部分１１を上端に備えたものを用いたので、花茎支持用の支柱５，５の先端部分５ｂ同士が交差した状態を保つための作業が容易となる効果も発揮される。また、花茎支持用の支柱５，５の先端部分同士を、特に緊縛等しなくても、第３の支柱１０によって簡単に固定状態とすることができる。
【００２３】
加えて、本実施の形態では、ハートの下端が、鉢の上面からの高さｈの１／３の位置となる様にしたので、大きく、しかも、鉢植え全体として見たときに、バランスのよい美しさが表現されている。
【００２４】
また、ハートの先端が鉢３から前方へ大きくはみ出さない様にしたので、梱包サイズを小さくすることができ、輸送時のコンテナやトラックへの積載量を増加させ、栽培時の栽培スペースも抑制できるので、面積当たり栽培可能数を増加させることができる。
【００２５】
以上、考案を実施するための最良の形態としての一実施形態を説明したが、本考案は、これに限定されるものではなく、その要旨を逸脱しない範囲内における種々の変更が可能である。
【００２６】
例えば、花茎支持用の支柱７，７及び第３の支柱１０としては、実施の形態で用いたものの他に、直径２ｍｍ〜４ｍｍの鉄製、アルミニウム製、ステンレス製、銅製、プラスチック製等の各種のものを採用することができる。また、天然の竹（丸竹、割竹）を用いてもよい。
【００２７】
また、花茎支持用の支柱５，５によって構成されたハートの下端を、鉢３の上面からの高さｈの約２／３程度としてもよい。
【００２８】
さらに、ハート形に湾曲させた花茎支持用の支柱５の先端部分５ｂは、交差ではなく、図４（Ａ）に示す様に点で接触させたり、同図（Ｂ）に示す様に平行部同士を線で接触させたりしてもよい。また、花茎支持用の支柱５の立ち上がり部分は、図５に示す様に、交差せずにほぼ平行に伸びる様に立設してもよい。なお、立ち上がり部分を交差させた方が、ハートの形状が安定し、美しい。
【００２９】
加えて、図６に示す様に、花茎支持用の支柱５の先端を第３の支柱１０の先端の上押さえ式の挟み込み部分１２で上から押さえる様にして支持してもよい。さらに、図７に示す様に、リング状の挿入式の挟み込み部分１３を備えさせて、花茎支持用の支柱５の先端を差し込んで支持する様にしてもよい。
【００３０】
また、ハートの下端は、鉢３に対して極端にはみ出さない限りは、多少はみ出していても構わない。
【図面の簡単な説明】
【００３１】
【図１】実施の形態の胡蝶蘭の鉢植えを示し、（Ａ）は第３の支柱で支える前の状態の正面図、（Ｂ）は第３の支柱の正面図である。
【図２】実施の形態の胡蝶蘭の鉢植えの要部を示す拡大図である。
【図３】実施の形態を適用した胡蝶蘭の鉢植えのイメージを示す斜視図である。
【図４】変形例の要部を示す拡大図である。
【図５】変形例の要部を示す拡大図である。
【図６】変形例の要部を示す拡大図である。
【図７】変形例の要部を示す拡大図である。
【符号の説明】
【００３２】
１・・・胡蝶蘭の鉢植え
３・・・鉢
５・・・花茎支持用の支柱
７・・・胡蝶蘭の花茎
１０・・・第３の支柱
１１，１２，１３・・・挟み込み部分
【図１】
0003112002.tif 000003
【図２】
0003112002.tif 000004
【図３】
0003112002.tif 000005
【図４】
0003112002.tif 000006
【図５】
0003112002.tif 000007
【図６】
0003112002.tif 000008
【図７】
0003112002.tif 000009